(57)【特許請求の範囲】
【請求項１】
操作キーを配置した第１筐体と、第１表示部を配置した第２筐体と、第２表示部を配置した第３筐体と、第１筐体と第２筐体とを操作キーと第１表示部とが向き合うように折り畳み自在に結合する第１ヒンジ部と、第２筐体と第３筐体とを第１表示部と第２表示部とが向き合わないように折り畳み自在に結合すると共に第１ヒンジ部の回動軸と略直交する回転軸を有する第２ヒンジ部とを備え、
前記第３筐体の前記第２表示面側にカメラを配置したことを特徴とする携帯端末。
【請求項２】
前記第２ヒンジ部を閉じた状態では、前記カメラが撮影した映像を前記第１表示部と前記第２表示部とに表示することを特徴とする請求項１記載の携帯端末。
【請求項３】
前記第２ヒンジ部を開いた状態では、前記カメラが撮影した映像を前記第１表示部と前記第２表示部のいずれか一方のみに表示することを特徴とする請求項１記載の携帯端末。
【請求項４】
前記第２ヒンジ部を閉じた状態では、前記カメラが撮影した映像を前記第１表示部と前記第２表示部のいずれか一方に表示し、他方の表示部の前記カメラの設定または操作画面を表示することを特徴とする請求項３記載の携帯端末。
【発明の詳細な説明】
【０００１】
【発明の属する技術分野】
本発明は、携帯端末に関し、特に複数の表示部を備えたものに関する。
【０００２】
【従来の技術】
一般に、携帯電話やＰＨＳ等の移動体通信端末、或いはＰＤＡ等の携帯端末は折り畳み自在に構成されているものがあり、一方の筐体の表と裏とにそれぞれ液晶などの表示装置を備え、他方の筐体に操作キーを配置しているものもある。
【０００３】
これらの従来技術の２つの表示部を備えた折り畳み式携帯端末においては、折り畳んだ状態では一方の表示部のみを使用者が見ることができ、また、開いた状態では携帯端末をひっくり返すことによってしか両方の表示部を使用者が見ることはできないものであった。
【０００４】
また、他の従来技術の携帯端末としては、例えば特開２００１―２３７９３３公報に記載されているようなものが存在し、これは、所謂折り畳み式携帯電話機ではないが、３つの表示部を折り畳んで筐体の前面に収納しておき、収納した状態にあっては、１つの表示部のみ視認可能であり、表示部を展開した状態にあっては、先の１つの表示部は裏向きとなり他の２つの表示部を視認可能とするものが開示されている。
【０００５】
また、他の従来技術の携帯端末としては、特開２００１−２９２２０７号公報に記載されたようなものが存在し、これは、所謂折り畳み式携帯電話機であるが、この折り畳み機構のヒンジ部の回動軸と同軸にパネル部を回動自在に設けたもので、携帯端末を閉じた状態であると何ら表示部を視認することができず、開いた状態であると、パネル部を送話部側の筐体に回動させたり、パネル部を受話部側筐体に回動させたりすることができるものである。
【０００６】
ここで、パネル部を送話部側の筐体に回動させると、受話部側筐体に設けられている表示部とパネル部の裏面に設けられているタッチ液晶パネルとが視認可能となり、パネル部を受話部側の筐体に回動させると、パネル部の表面に設けられている透明液晶パネルと、この透明液晶パネルを通して受話部側筐体に設けられている表示部とを重ね合わせて視認可能となるものである。
【０００７】
また、他の従来技術の携帯端末としては、特開２００１−１７５３５５号公報に記載されたようなものが存在し、これは、表示部を収納する際には、各表示部を互いに向き合うよう収納するものであり、収納した状態ではいずれの表示部も視認し得ないものが開示されている。
【０００８】
また、カメラを備えた従来技術の携帯端末としては、特開２００１―２９８５１６号公報に記載されたようなものが存在し、これは、所謂折り畳み式のものであって、キー及びマイクを配置する送話部側の筐体と、表示及びスピーカを配置する受話部側の筐体とを回動自在に結合するヒンジ部とを備え、このヒンジ部に回動自在にカメラを配置したものが開示されている。
【０００９】
更に、カメラを備えた従来技術の他の携帯端末としては、特開２００１―１３６２５４号公報に記載されたようなものが存在し、これは、キー及びマイクを配置する送話部側の筐体と、表示及びスピーカを配置する受話部側の筐体と、カメラのみを備えたカメラ側の筐体と具備し、送話部側筐体と受話部側筐体とヒンジ部により回動自在に結合すると共に、送話部側筐体とカメラ側筐体とを自在継手により結合したものが開示されている。
【００１０】
【発明が解決しようとする課題】
しかしながら、前述の如き従来の携帯端末は、折り畳み式で且つ複数の表示部を備えたものにおいては、筐体自体を裏返すことなく全ての表示部を視認可能にして表示部を最大限に有効活用できる構造のものはなかった。
【００１１】
また、前述の如き従来の携帯端末にあっては、カメラで相手を撮影する際に、撮影される相手と撮影する使用者が共に撮影画像をチェックしながら撮影を行うことはできなかった。
【００１２】
また、携帯性の向上のため、限られた表示スペースしか持ち得ない従来の携帯端末においては、携帯端末の筐体に配置できる表示面積は限られているので、限られた表示面積に撮影画像を最大限に表示することが望まれるが、このような表示を行ってしまうと、撮影の際に必要な情報を表示するスペースがなく、操作性を損なっていた。
【００１３】
そこで本発明は、複数の折り畳んだ画面を最大限に有効活用して表示の効率を高められる構造を備えると共に、カメラで相手を撮影する際に、撮影される相手と撮影する使用者が共に撮影画像をチェックしながら撮影を行えるように、相手と使用者共に撮影画層をチェックし得る携帯端末を提供するものである。
【００１４】
【課題を解決する為の手段】
上記問題点を解決する為に、本発明の携帯端末は、操作キーを配置した第１筐体と、第１表示部を配置した第２筐体と、第２表示部を配置した第３筐体と、第１筐体と第２筐体とを操作キーと第１表示部とが向き合うように折り畳み自在に結合する第１ヒンジ部と、第２筐体と第３筐体とを第１表示部と第２表示部とが向き合わないように折り畳み自在に結合すると共に第１ヒンジ部の回動軸と略直交する回転軸を有する第２ヒンジ部とを備え、前記第３筐体の前記第２表示面側にカメラを配置したことを特徴とするものである。
【００１５】
このように構成したことにより、複数の折り畳んだ画面を効率よく表示できる構造を備えると共に、第２ヒンジ部を回動することにより、第１筐体や第１表示部などの向きをそのままに、自分側と相手側の２方向の撮影が可能となる。
【００１６】
また、本発明の携帯端末は、前記第２ヒンジ部を閉じた状態では、前記カメラが撮影した映像を前記第１表示部と前記第２表示部とに表示することを特徴とするものである。
【００１７】
このように構成したことにより、カメラで相手を撮影する際に、撮影される相手と撮影する使用者が共に撮影画像をチェックしながら撮影を行えるようになる。
【００１８】
また、本発明の携帯端末は、前記第２ヒンジ部を開いた状態では、前記カメラが撮影した映像を前記第１表示部と前記第２表示部のいずれか一方のみに表示することを特徴とするものである。
【００１９】
このように構成することにより、カメラにて自分の方向を撮影する際には、使用者に認識し得る２つの表示画面の内、一方に撮影画像を表示し、他方に異なる画面を表示することができる。
【００２０】
また、本発明の携帯端末は、前記第２ヒンジ部を閉じた状態では、前記カメラが撮影した映像を前記第１表示部と前記第２表示部のいずれか一方に表示し、他方の表示部の前記カメラの設定または操作画面を表示することを特徴とするものである。
【００２１】
このように構成したことにより、カメラにて自分の方向を撮影する際には、使用者に認識し得る２つの表示画面の内、一方に撮影画像を表示し、他方にカメラの設定や操作に関する入力画面や出力画面等を他方の画面を表示することができ、撮像画面自体の表示と撮影に関する情報の表示とを一度に確認することができる。
【００２２】
【発明の実施の形態】
以下、本発明の実施の形態について、図面を参照しながら詳細に説明する。
図１〜図５は本発明の実施の形態を示す図であって、図中、同一の符号を付した部分は同一物を表している。
【００２３】
図１において、１は第１表示部を備える第２筐体、２は第２表示部４を備える第３筐体、６は操作キーを備える第１筐体、７は第１筐体と第２筐体とを折り畳み自在に結合する第１ヒンジ部、５は、第２筐体と第３筐体とを互いに向き合わないように折り畳み自在に結合すると共に第１ヒンジ部７の回動軸と略直交する回転軸を有する第２ヒンジ部である。そして、１１はカメラであり静止画や動画を撮影することができる。また、この第２ヒンジ部５の内部には図示しないアンテナが配置されている。
【００２４】
図１の状態は、第１ヒンジ部と第２ヒンジ部５とを共に閉じた状態であるので、このような状態下にあっても、第２表示部１を使用者によって視認可能となる。
【００２５】
また、更に、第１ヒンジ７と第２ヒンジ５とを共に閉じた状態にあっては、第１ヒンジ部７側を上にして使用するのが通常であるので、第２表示部１に表示される文字や図形等は第１ヒンジ部７側を上側として表示が行われる。
【００２６】
一方、第１ヒンジ部７が略９０度程度開かれた場合を図２に示す。
【００２７】
同図においは第１ヒンジ部７側を下にして使用するのが通常であるので、第２表示部４に表示される文字や図形等を第１ヒンジ部側を下側として表示するように切り換わるものである。
【００２８】
尚、ここで、１０は第１筐体に設けられた操作キー、９は送話用のスピーカである。
【００２９】
ここで、図１及び図２から明らかなように、図１の状態から図２の状態へと折り畳み式携帯端末の状態が切り換えられると、第２表示部４の表示向きが上下逆さまに反転する。尚、図１及び図２で表示されている画面は待ち受け画面である。
【００３０】
図３は、第１ヒンジ部７が略１８０度近く開かれた場合を示している。ここで、８は受話音声を出力するスピーカである。図３においては、第２ヒンジ部５は閉じられているため、第１表示部３には初期画面たる待ち受け画面が表示されており、丁度裏側に隠れて見ることができない第２表示部にも同じ画面が表示されている。
【００３１】
このように携帯端末の両側に第１表示部３と第２表示部４とに同じ画面が表示されているので、この携帯端末を持っている人が第１表示部３にて表示内容を確認できる他、向き合っている相手は第２表示部４にて同じ表示内容を確認することができる。
【００３２】
図４は、図３の状態から第３筐体を開いた状態を示す図であり、第２ヒンジ部５は略１８０度開かれている。
【００３３】
このように図３から図４へ第２ヒンジ部５の回動状態が開いた状態に遷移すると、第２表示部４の表示内容は初期画面たる待ち受け画面から別の表示画面であるモード選択画面に切り換わる。
【００３４】
このとき、操作キー１０は第１表示部３から第２表示部４の操作に割り当てられるように切り換わる。
【００３５】
図５は、第２ヒンジ部５を閉じた状態で使用者が合い向き合う撮影対象たる相手をカメラで撮影する際の斜視図である。
【００３６】
このような場合にあっては、第１表示部３によって使用者は撮影画像をチェックすることができ、撮影対象たる相手側は、第１表示部３とは正反対に位置している第２表示部４によって、実際に撮影される自分の姿等を確認することができる。
【００３７】
この相手側が自分の撮影画像を確認する際の状況を示す図を次の図６に示す。
【００３８】
図６に示すように、カメラ１１によって相手側の姿が実際に撮影され、その撮影画像が第２表示部４にて表示される。
【００３９】
次に、使用者自らの姿を撮影する場合について、図７並びに図８を用いて説明する。
【００４０】
図７は、第２ヒンジ部５を略１８０度開いた状態であって、第２筐体２のカメラ１１にて使用者の姿を撮影し、その撮影した画像を第１表示部３にて表示している様子を示した図である。
【００４１】
ここで、携帯端末は、図４の状態からカメラモードを選択すると、図７に示すようなカメラモードの表示に切り換わる。また、図４の状態を経ずに図３の状態から第２ヒンジ部５を開くと自動的にカメラモードに遷移し図７のような表示に切り換わってもよい。
【００４２】
同図に示すように、使用者は第１表示部３にて自分の撮影画像を視認することができると共に、第２表示部３には、カメラの設定や操作に関する入力画面や出力画面等を表示するため、撮像画像の表示と撮影に関する情報の表示とを一度に確認できる。
【００４３】
また、携帯端末の筐体に配置できる第１表示部３の表示面積一杯に撮影画像を表示しても、第２表示部において、撮影の際に必要な情報を表示することができる。
【００４４】
図８は、図７とほぼ同様に、第２ヒンジ部５を略１８０度開いた状態であって、第２筐体２のカメラ１１にて使用者の姿を撮影し、その撮影した画像を第１表示部３にて表示している様子を示した図である。
【００４５】
この実施の形態の例は、図７と比較し、撮像画面と撮影に関する表示画面とを入れ替えたものである。このようにすると、第２表示部４のみに撮像画像を表示するよう構成されるので、第２表示部４の表示器の解像度を画像表示用に高めに設計する一方、第１表示部３の表示器の解像度を低めに設計できる等、製品のコストダウンになる。
【００４６】
以上、本発明の携帯端末はこのように構成したことにより、複数の折り畳んだ画面を最大限に有効活用して表示の効率を高められる構造を備えると共に、カメラで相手を撮影する際に、撮影される相手と撮影する使用者が共に撮影画像をチェックしながら撮影を行うことができる。
【００４７】
また、自分の撮影画像を一方の表示部に表示すると共に、他方の表示部にカメラの設定や操作に関する入力画面や出力画面等を表示するため、撮像画像の表示と撮影に関する情報の表示とを一度に確認できる。
【００４８】
以上、本発明の実施の形態について説明したが、本発明の携帯端末は、上述の実施の形態例にのみ限定されるものではなく、本発明の要旨を逸脱しない範囲内において種々変更を加え得ることは勿論である。
【００４９】
【発明の効果】
以上説明したように、本発明の携帯端末によれば、複数の折り畳んだ画面を最大限に有効活用して表示の効率を高められる構造を備えると共に、カメラで相手を撮影する際に、撮影される相手と撮影する使用者が共に撮影画像をチェックしながら撮影を行うことができる。
【図面の簡単な説明】
【図１】本発明の実施の形態の第１ヒンジ部と第２ヒンジ部とを共に閉じた状態の斜視図である。
【図２】本発明の実施の形態の第１ヒンジ部を略９０度開き第２ヒンジ部を閉じた状態の斜視図である。
【図３】本発明の実施の形態の第１ヒンジ部を略１８０度開き第２ヒンジ部を閉じた状態の斜視図である。
【図４】本発明の実施の形態の第１ヒンジ部と第２ヒンジ部とを共に略１８０度開いた状態の斜面図である。
【図５】本発明の実施の形態の第１ヒンジ部を略１８０度開き第２ヒンジ部を閉じた状態であって、相手を撮影している場合の使用者から見た斜視図である。
【図６】本発明の実施の形態の第１ヒンジ部を略９０度開き第２ヒンジ部を閉じた状態であって、相手を撮影している場合の相手から見た斜視図である。
【図７】本発明の実施の形態の第１ヒンジ部と第２ヒンジ部とを共に略１８０度開いた状態であって、自らを撮影している場合の使用からみた斜視図である。
【図８】本発明の実施の形態の第１ヒンジ部と第２ヒンジ部とを共に略１８０度開いた状態であって、自らを撮影している場合の使用からみた別の斜視図である。
【符号の説明】
１  第２筐体
２  第３筐体
３  第１表示部
４  第２表示部
５  第２ヒンジ部
６  第１筐体
７  第１ヒンジ部
８  スピーカ
９  マイク
１０  操作キー
１１  カメラ
【図１】
0003811401.tif 000002
【図２】
0003811401.tif 000003
【図３】
0003811401.tif 000004
【図４】
0003811401.tif 000005
【図５】
0003811401.tif 000006
【図６】
0003811401.tif 000007
【図７】
0003811401.tif 000008
【図８】
0003811401.tif 000009